(57)【要約】【課題】誤操作に起因して画面が明るいままになることを防いで省電力化を図る。【解決手段】決済端末は、表示部と、入力を受け付ける入力部と、タイマの値を設定し、設定した値の時間以上、入力部が入力を受け付けていない場合に、表示部の画面を通常より暗くする制御部とを備える。制御部は、決済に関する決済処理を開始すると、決済処理を実施しないときのタイマの値と異なるタイマの値を設定し、前記決済処理が終了すると、決済処理を実施しないときのタイマの値を設定する。【選択図】図１
2018146626.tif 000002
【特許請求の範囲】
【請求項１】
表示部と、
入力を受け付ける入力部と、
タイマの値を設定し、設定した値の時間以上、前記入力部が入力を受け付けていない場合に、前記表示部の画面を通常より暗くする制御部と、
を備え、
前記制御部は、決済に関する決済処理を開始すると、決済処理を実施しないときのタイマの値と異なるタイマの値を設定し、前記決済処理が終了すると、決済処理を実施しないときのタイマの値を設定する
ことを特徴とする決済端末。
【請求項２】
前記制御部は、前記決済処理の進行状況に応じて前記タイマの値を設定する
ことを特徴とする請求項１に記載の決済端末。
【請求項３】
タイマの値を設定するタイミングと、設定するタイマの値とを対応付けて記憶する記憶部を備え、
前記制御部は、前記タイミングになると、対応するタイマの値を設定する
ことを特徴とする請求項２に記載の決済端末。
【発明の詳細な説明】
【技術分野】
【０００１】
本発明は、決済端末に関する。
【背景技術】
【０００２】
タッチパネル付き取引端末装置では、一定時間操作されない場合は、省電力のため、画面を暗くし、決済処理が行われている間は、画面を暗くならないようにしている（例えば、特許文献１参照）。
【先行技術文献】
【特許文献】
【０００３】
【特許文献１】特許第５８６６５００号公報
【発明の概要】
【発明が解決しようとする課題】
【０００４】
しかしながら、特許文献１に記載の技術では、誤ってクレジット等のボタンを押し決済処理が開始された場合には、ユーザが気づかずに画面が明るいまま放置されてしまい、省電力にならない。また、端末装置が携帯端末である場合には、鞄に入れたまま移動中にボタンが押されると、画面が明るいまま時間が経過して電池がなくなり、実際に決済処理しようとしたときに決済処理できないことがある。
【０００５】
そこで、本発明は上述の事情を鑑みてなされたものであり、誤操作に起因して画面が明るいままになることを防いで省電力化を図ることができる決済端末を提供することを目的とする。
【課題を解決するための手段】
【０００６】
本発明の幾つかの態様は、表示部と、入力を受け付ける入力部と、タイマの値を設定し、設定した値の時間以上、前記入力部が入力を受け付けていない場合に、前記表示部の画面を通常より暗くする制御部と、を備え、前記制御部は、決済に関する決済処理を開始すると、決済処理を実施しないときのタイマの値と異なるタイマの値を設定し、前記決済処理が終了すると、決済処理を実施しないときのタイマの値を設定することを特徴とする決済端末である。
【０００７】
また、本発明の他の態様の決済端末において、前記制御部は、前記決済処理の進行状況に応じて前記タイマの値を設定することを特徴とする。
【０００８】
また、本発明の他の態様の決済端末において、タイマの値を設定するタイミングと、設定するタイマの値とを対応付けて記憶する記憶部を備え、前記制御部は、前記タイミングになると、対応するタイマの値を設定することを特徴とする。
【発明の効果】
【０００９】
本発明によれば、誤操作に起因して画面が明るいままになることを防いで省電力化を図ることができる。
【図面の簡単な説明】
【００１０】
【図１】本発明の第１の実施形態における決済端末の外観構成を示す正面図である。
【図２】第１の実施形態における決済端末の構成を示すブロック図である。
【図３】第１の実施形態における決済端末が実行するスリープモード移行処理の処理手順を示すフローチャートである。
【図４】本発明の第２の実施形態における決済端末が記憶するタイマテーブルのデータ構造及びデータ例を示す概略図である。
【図５】第２の実施形態における決済端末が実行するスリープモード移行処理の処理手順を示すフローチャートである。
【図６】第２の実施形態における決済端末が実行するスリープモード移行処理の処理手順を示すフローチャートである。
【発明を実施するための形態】
【００１１】
以下、本発明の実施形態について、図面を参照しながら説明する。なお、各図において同一部分には同一符号を付している。
【００１２】
［第１の実施形態］
まず、本発明の第１の実施形態について説明する。図１は、本実施形態における決済端末１の外観構成を示す正面図である。図２は、本実施形態における決済端末１の構成を示すブロック図である。決済端末１は、クレジットカードやデビットカードや電子マネー等の決済に関する決済処理を実行する携帯端末である。例えば、決済端末１は、クレジットやデビットや電子マネーの売上、口座振替の受け付けや取り消し等の業務内容の選択、あるいは、取引金額等の取引内容の入力等を行う。図示するように、決済端末１は、ＣＰＵ（Ｃｅｎｔｒａｌ  Ｐｒｏｃｅｓｓｉｎｇ  Ｕｎｉｔ）１０１と、ＦＲＯＭ（Ｆｌａｓｈ  Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、接触ＩＣカードリーダライター１０４と、非接触ＩＣカードリーダライター１０５と、磁気カードリーダ１０６と、プリンタ１０７と、液晶ディスプレイ１０８と、キー１０９と、ＬＥＤ１１０と、通信モジュール１１１と、スピーカ１１２とを備える。
【００１３】
ＣＰＵ１０１は、決済端末１が備える各部の制御を行う制御部である。ＦＲＯＭ１０２は、ＣＰＵ１０１が実行する動作用プログラムを予め記憶している。この動作用プログラムは、ＣＰＵ１０１の起動時に読み出される。ＲＡＭ１０３は、決済端末１の各部が用いるデータを記憶する記憶部である。
【００１４】
接触ＩＣカードリーダライター１０４は、挿入されたＩＣカードＣに対しカードに関するカード情報を読み書きするカードリーダライターである。非接触ＩＣカードリーダライター１０５は、非接触（近距離無線通信）によりＩＣカードに対しカード情報を読み書きするカードリーダライターである。磁気カードリーダ１０６は、磁気カードからカード情報を読み取るカードリーダである。
【００１５】
プリンタ１０７は、用紙に印字して伝票を発行する印字部である。液晶ディスプレイ１０８は、種々の情報を表示する表示部である。なお、液晶ディスプレイ１０８の画面には、画面上における入力を受け付けるタッチパネルが設置されている。キー１０９は、入力を受け付ける入力部である。ＬＥＤ１１０は、点灯や点滅により決済端末１の状態等を報知する。通信モジュール１１１は、他の装置と通信する通信部である。スピーカ１１２は、音声を出力する音声出力部である。
【００１６】
次に、本実施形態による決済端末１における動作を説明する。決済端末１は、画面が明るい通常モードと、画面が暗くなり操作待ちの状態となるスリープモードとの２つの動作モードを有する。決済端末１は、例えば、誤操作によりスリープモードが解除された場合などに液晶ディスプレイ１０８の画面が明るいまま放置されることを防ぐため、スリープモードに移行するタイマを設定する。なお、実際に決済を行っているときには頻繁にスリープモードに移行しないように、決済端末１は、決済に関する決済処理を開始すると、決済処理を実施しないときのタイマの値と異なるタイマの値（例えば、決済用タイマ）を設定する。また、決済端末１は、決済処理が終了すると、決済処理を実施しないときのタイマの値（例えば、通常用タイマ）を設定する。
【００１７】
なお、決済処理とは、商品を決済するための処理であり、決済処理に関する決済業務キー又は決済種別キーが入力を受け付けた場合や、接触ＩＣカードリーダライター１０４、非接触ＩＣカードリーダライター１０５又は磁気カードリーダ１０６にカードが挿入された（またはタッチされた）場合等に開始される。決済業務キーや決済種別キーは、例えば、キー１０９或いはタッチパネル上に配置される。
【００１８】
ＣＰＵ１０１は、通常時には、通常用タイマ（例えば、２分）を設定して起動し、設定した通常用タイマの時間以上、キー１０９や液晶ディスプレイ１０８の画面上に配置されたタッチパネルが入力を受け付けていない場合に、液晶ディスプレイ１０８の画面の表示を通常より暗くするスリープモードに移行する。そして、ＣＰＵ１０１は、スリープモード時に、キー１０９等が入力を受け付けると、液晶ディスプレイ１０８の画面の表示を明るくして通常モードに移行する。
【００１９】
一方、ＣＰＵ１０１は、決済処理が開始されると、通常用タイマより長い決済用タイマ（例えば、１５分）を設定して起動する。そして、ＣＰＵ１０１は、設定した決済用タイマの時間が経過すると、スリープモードに移行する。これにより、決済処理が開始されてから決済用タイマの時間が経過すると液晶ディスプレイ１０８の画面が暗くなるため、誤操作により決済処理が開始された場合に、液晶ディスプレイ１０８の画面が明るいままになることを防ぎ、省電力化を図ることができる。なお、ＣＰＵ１０１は、決済処理を中止するキャンセルキーが決済処理中に入力を受け付けた場合には、決済処理を中止し、通常用タイマを再設定して起動する。キャンセルキーは、例えば、キー１０９或いはタッチパネル上に配置される。また、ＣＰＵ１０１は、キャンセルキー以外のキーが決済処理中に入力を受け付けた場合には、決済用タイマを再設定して起動する。
【００２０】
また、現実的に決済処理が確実に終了する時間か事実上の無制限の時間（例えば、１時間）に決済用タイマを設定することで、ユーザの意思で決済処理を開始した場合には、決済処理中は液晶ディスプレイ１０８の画面を明るいままにすることができる。そして、ＣＰＵ１０１は、決済処理が終了すると、通常用タイマを再設定して起動する。例えば、オンライン決済時に決済するためのサーバ装置であるセンタから決済の完了を示すデータを受信した場合や、オフライン決済時にＩＣカードから決済の完了を示すデータを受信した場合や、伝票の印字が完了した場合等に、決済処理は終了する。これにより、決済処理が終了した場合には、通常用タイマによりスリープモードに移行することができる。
【００２１】
図３は、本実施形態における決済端末１が実行するスリープモード移行処理の処理手順を示すフローチャートである。決済端末１は、電源がオンになったときに、本図に示す処理を実行する。
【００２２】
（ステップＳ１０１）ＣＰＵ１０１は、決済端末１の起動を完了させる。その後、ステップＳ１０２の処理に進む。
（ステップＳ１０２）ＣＰＵ１０１は、決済端末１における業務を選択するための業務選択画面を液晶ディスプレイ１０８に表示する。その後、ステップＳ１０３の処理に進む。
（ステップＳ１０３）ＣＰＵ１０１は、スリープモードに移行するためのタイマを通常用タイマに設定し、起動する。その後、ステップＳ１０４の処理に進む。
【００２３】
（ステップＳ１０４）ＣＰＵ１０１は、タイマの時間が経過したか否かを判定する。経過したとＣＰＵ１０１が判定した場合には、ステップＳ１１０の処理に進む。また、経過していないとＣＰＵ１０１が判定した場合には、ステップＳ１０５の処理に進む。
【００２４】
（ステップＳ１０５）ＣＰＵ１０１は、決済処理が開始されたか否かを判定する。決済処理が開始されたとＣＰＵ１０１が判定した場合には、ステップＳ１０７の処理に進む。また、決済処理が開始されていないとＣＰＵ１０１が判定した場合には、ステップＳ１０６の処理に進む。
【００２５】
（ステップＳ１０６）ＣＰＵ１０１は、決済処理以外のその他の処理用キーが入力を受け付けたか否かを判定する。入力を受け付けたとＣＰＵ１０１が判定した場合には、ステップＳ１０３の処理に戻る。また、入力を受け付けていないとＣＰＵ１０１が判定した場合には、ステップＳ１０４の処理に戻る。
【００２６】
（ステップＳ１０７）ＣＰＵ１０１は、スリープモードに移行するためのタイマを通常用タイマより長い決済用タイマに設定し、起動する。その後、ステップＳ１０８の処理に進む。
【００２７】
（ステップＳ１０８）ＣＰＵ１０１は、タイマの時間が経過したか否かを判定する。経過したとＣＰＵ１０１が判定した場合には、ステップＳ１１０の処理に進む。また、経過していないとＣＰＵ１０１が判定した場合には、ステップＳ１０９の処理に進む。
【００２８】
（ステップＳ１０９）ＣＰＵ１０１は、決済処理が終了したか否かを判定する。決済処理が終了したとＣＰＵ１０１が判定した場合には、ステップＳ１０２の処理に戻る。また、決済処理が終了していないとＣＰＵ１０１が判定した場合には、ステップＳ１０８の処理に戻る。
【００２９】
（ステップＳ１１０）ＣＰＵ１０１は、スリープモードに移行し、液晶ディスプレイ１０８の画面の表示を通常より暗くする。その後、処理を終了して操作待ちの状態になる。なお、ＣＰＵ１０１は、操作待ちの状態時にキー１０９等が入力を受け付け、スリープモードから通常モードに移行して画面の表示を通常の明るさにしたときには、処理を初期状態（業務選択画面）に戻す。
【００３０】
上述したとおり、本実施形態では、決済端末１は、液晶ディスプレイ１０８と、入力を受け付けるキー１０９と、タイマを設定し、設定したタイマの時間以上、キー１０９又は液晶ディスプレイ１０８の画面に設置されたタッチパネルが入力を受け付けていない場合に、液晶ディスプレイ１０８の画面を通常より暗くするＣＰＵ１０１と、を備える。ＣＰＵ１０１は、決済に関する決済処理を開始すると、通常より長い決済用タイマを設定し、決済処理が終了すると、通常のタイマを設定する。
【００３１】
これにより、決済端末１は、誤操作により決済処理が開始された場合であっても、決済用タイマの時間が経過すると、画面を暗くするため、画面が明るいままになることを防ぐことができ、省電力化を図ることができる。また、可用性を向上することができる。
【００３２】
なお、ステップＳ１０７の処理においてタイマ値を無制限に設定することで、決済処理中はスリープモードに移行しないようにすることも可能である。この場合には、決済処理中にはスリープモードに移行しないため、可用性を向上することができる。
【００３３】
［第２の実施形態］
次に、本発明の第２の実施形態について説明する。本実施形態における決済端末１の構成は、第１の実施形態と同様であるため、その説明を省略する。第１の実施形態では、決済処理中に１つの決済用タイマを再設定しているが、本実施形態では、決済処理の進行状況に応じてタイマを再設定する点が異なる。
【００３４】
図４は、本実施形態における決済端末１が記憶するタイマテーブルのデータ構造及びデータ例を示す概略図である。タイマテーブルは、タイマを設定するタイミングと、設定するタイマの値とを対応付ける。
【００３５】
図示するように、タイマテーブルは、Ｎｏと、タイマ種類と、値と、タイマ設定タイミングとの各項目を有する。Ｎｏは、タイマの識別情報である。タイマ種類は、タイマの種類である。値は、タイマの値である。タイマ設定タイミングは、タイマを設定するタイミングである。
【００３６】
図示する例では、Ｎｏ．１は、タイマ種類「通常」であり、値「短い（２分等）」であり、タイマ設定タイミング「起動終了、キー操作毎」である。また、Ｎｏ．２は、タイマ種類「決済処理中」であり、値「長い（１５分等）」であり、タイマ起動タイミング「決済業務キー押下」である。また、Ｎｏ．３は、タイマ種類「カード挿入待ち」であり、値「長い（１０分等）」であり、タイマ起動タイミング「ユーザのカード挿入操作を促す表示時」である。また、Ｎｏ．４は、タイマ種類「ＰＩＮ（暗証番号）入力」であり、値「短い（１分等）」であり、タイマ起動タイミング「ＰＩＮ入力開始時」である。また、Ｎｏ．５は、タイマ種類「通信中」であり、値「中（７分等）」であり、タイマ起動タイミング「センタや上位機との通信開始時」である。また、Ｎｏ．６は、タイマ種類「印字中」であり、値「中（５分等）」であり、タイマ起動タイミング「伝票印字開始時」である。
【００３７】
すなわち、決済処理をしていない通常時のタイマは短い時間である。また、決済処理中のタイマは長い時間である。また、決済処理において操作に時間のかかるカード挿入待ちのときのタイマは長い時間である。また、決済処理においてセキュリティ上短い時間で入力すべきＰＩＮ入力のタイマは短い時間である。また、通信中や印字中のタイマは長いタイマと短いタイマとの間の時間（中）である。
【００３８】
次に、本実施形態による決済端末１における動作を説明する。決済端末１は、例えば、誤操作により決済処理が開始されたときに、液晶ディスプレイ１０８の画面が明るいまま放置されることを防ぐために、決済処理の進行状況に応じて、画面が暗くなるスリープモードに移行するためのタイマを再設定して起動する。
【００３９】
具体的には、ＣＰＵ１０１は、ＲＡＭ１０３が記憶するタイマテーブルを参照し、タイマ起動タイミングになると、対応する値のタイマを設定して起動する。そして、ＣＰＵ１０１は、タイマを起動してからタイマの時間が経過すると、スリープモードに移行する。これにより、決済処理中は常に画面が暗くなる（スリープモードに移行する）ことを止めるのではなく、決済用の入力や印字時など時間がかかる場合は長いタイマを設定し、ＰＩＮ入力等セキュリティ上より短いタイマが要求される場合は短いタイマを設定することなどができ、決済処理の各フェーズにおける目的に合わせて画面が暗くなることを制御できる。
【００４０】
図５及び図６は、本実施形態における決済端末１が実行するスリープモード移行処理の処理手順を示すフローチャートである。決済端末１は、電源がオンになったときに、本図に示す処理を実行する。
【００４１】
（ステップＳ２０１）ＣＰＵ１０１は、決済端末１の起動を完了させる。その後、ステップＳ２０２の処理に進む。
（ステップＳ２０２）ＣＰＵ１０１は、業務選択画面を液晶ディスプレイ１０８に表示する。その後、ステップＳ２０３の処理に進む。
（ステップＳ２０３）ＣＰＵ１０１は、スリープモードに移行するためのタイマを通常に対応するＮｏ．１に設定し、起動する。その後、ステップＳ２０４の処理に進む。
【００４２】
（ステップＳ２０４）ＣＰＵ１０１は、タイマの時間が経過したか否かを判定する。経過したとＣＰＵ１０１が判定した場合には、ステップＳ２５１の処理に進む。また、経過していないとＣＰＵ１０１が判定した場合には、ステップＳ２０５の処理に進む。
【００４３】
（ステップＳ２０５）ＣＰＵ１０１は、決済業務キーが入力を受け付けたか否かを判定する。入力を受け付けたとＣＰＵ１０１が判定した場合にはステップＳ２２１の処理に進む。また、入力を受け付けていないとＣＰＵ１０１が判定した場合にはステップＳ２０６の処理に進む。
【００４４】
（ステップＳ２０６）ＣＰＵ１０１は、接触ＩＣカードリーダライター１０４、非接触ＩＣカードリーダライター１０５又は磁気カードリーダ１０６にカードが挿入された（またはタッチされた）か否かを判定する。カードが挿入されたとＣＰＵ１０１が判定した場合には、ステップＳ２２８の処理に進む。また、カードが挿入されていないとＣＰＵ１０１が判定した場合には、ステップＳ２０７の処理に進む。
【００４５】
（ステップＳ２０７）ＣＰＵ１０１は、決済処理以外のその他の処理用キーが入力を受け付けたか否かを判定する。入力を受け付けたとＣＰＵ１０１が判定した場合には、ステップＳ２０８の処理に進む。また、入力を受け付けていないとＣＰＵ１０１が判定した場合には、ステップＳ２０４の処理に戻る。
【００４６】
（ステップＳ２０８）ＣＰＵ１０１は、入力を受け付けた（押下された）キーに対応するＮｏ．Ｎのタイマを設定し、起動する。その後、ステップＳ２０９の処理に進む。
（ステップＳ２０９）ＣＰＵ１０１は、入力を受け付けた（押下された）キーに相当するその他の処理を開始する。その後、ステップＳ２１０の処理に進む。
【００４７】
（ステップＳ２１０）ＣＰＵ１０１は、タイマの時間が経過したか否かを判定する。経過したとＣＰＵ１０１が判定した場合には、ステップＳ２５１の処理に進む。また、経過していないとＣＰＵ１０１が判定した場合には、ステップＳ２１１の処理に進む。
【００４８】
（ステップＳ２１１）ＣＰＵ１０１は、ステップＳ２０９において開始したその他の処理が終了したか否かを判定する。処理が終了したとＣＰＵ１０１が判定した場合には、ステップＳ２０３の処理に戻る。また、処理が終了していないとＣＰＵ１０１が判定した場合には、ステップＳ２１０の処理に戻る。
【００４９】
（ステップＳ２２１）ＣＰＵ１０１は、決済処理中に対応するＮｏ．２のタイマを設定し、起動する。その後、ステップＳ２２２の処理に進む。
（ステップＳ２２２）ＣＰＵ１０１は、タイマの時間が経過したか否かを判定する。経過したとＣＰＵ１０１が判定した場合には、ステップＳ２５１の処理に進む。また、経過していないとＣＰＵ１０１が判定した場合には、ステップＳ２２３の処理に進む。
【００５０】
（ステップＳ２２３）ＣＰＵ１０１は、ステップＳ２０５において入力を受け付けた（押下された）決済業務キーに相当する決済に関する決済情報の入力が終了したか否かを判定する。入力が終了したとＣＰＵ１０１が判定した場合には、ステップＳ２２４の処理に進む。また、入力が終了していないとＣＰＵ１０１が判定した場合には、ステップＳ２２２の処理に戻る。
【００５１】
（ステップＳ２２４）ＣＰＵ１０１は、カード挿入待ちに対応するＮｏ．３のタイマを設定し、起動する。その後、ステップＳ２２５の処理に進む。
【００５２】
（ステップＳ２２５）ＣＰＵ１０１は、接触ＩＣカードリーダライター１０４、非接触ＩＣカードリーダライター１０５又は磁気カードリーダ１０６にカードが挿入される（またはタッチされる）のを待つ待機状態になる。その後、ステップＳ２２６の処理に進む。
（ステップＳ２２６）ＣＰＵ１０１は、タイマの時間が経過したか否かを判定する。経過したとＣＰＵ１０１が判定した場合には、ステップＳ２５１の処理に進む。また、経過していないとＣＰＵ１０１が判定した場合には、ステップＳ２２７の処理に進む。
【００５３】
（ステップＳ２２７）ＣＰＵ１０１は、接触ＩＣカードリーダライター１０４、非接触ＩＣカードリーダライター１０５又は磁気カードリーダ１０６にカードが挿入された（またはタッチされた）か否かを判定する。カードが挿入されたとＣＰＵ１０１が判定した場合には、ステップＳ２２８の処理に進む。また、カードが挿入されていないとＣＰＵ１０１が判定した場合には、ステップＳ２２６の処理に戻る。
【００５４】
（ステップＳ２２８）ＣＰＵ１０１は、決済処理中に対応するＮｏ．２のタイマを設定し、起動する。その後、ステップＳ２２９の処理に進む。
【００５５】
（ステップＳ２２９）ＣＰＵ１０１は、決済用設定キーが入力を受け付けたか否かを判定する。入力を受け付けたとＣＰＵ１０１が判定した場合にはステップＳ２２８の処理に戻る。また、入力を受け付けていないとＣＰＵ１０１が判定した場合にはステップＳ２３０の処理に進む。
【００５６】
（ステップＳ２３０）ＣＰＵ１０１は、タイマの時間が経過したか否かを判定する。経過したとＣＰＵ１０１が判定した場合には、ステップＳ２５１の処理に進む。また、経過していないとＣＰＵ１０１が判定した場合には、ステップＳ２３１の処理に進む。
【００５７】
（ステップＳ２３１）ＣＰＵ１０１は、次の処理がＰＩＮ入力であるか否かを判定する。ＰＩＮ入力であるとＣＰＵ１０１が判定した場合には、ステップＳ２３２の処理に進む。ＰＩＮ入力でないとＣＰＵ１０１が判定した場合には、ステップＳ２２９の処理に戻る。
【００５８】
（ステップＳ２３２）ＣＰＵ１０１は、ＰＩＮ入力に対応するＮｏ．４のタイマを設定し、起動する。その後、ステップＳ２３３の処理に進む。
（ステップＳ２３３）ＣＰＵ１０１は、ＰＩＮ入力の受け付けを開始する。その後、ステップＳ２３４の処理に進む。
【００５９】
（ステップＳ２３４）ＣＰＵ１０１は、タイマの時間が経過したか否かを判定する。経過したとＣＰＵ１０１が判定した場合には、ステップＳ２５１の処理に進む。また、経過していないとＣＰＵ１０１が判定した場合には、ステップＳ２３５の処理に進む。
【００６０】
（ステップＳ２３５）ＣＰＵ１０１は、キー１０９が入力を受け付けたか否かを判定する。入力を受け付けたとＣＰＵ１０１が判定した場合には、ステップＳ２３６の処理に進む。また、入力を受け付けていないとＣＰＵ１０１が判定した場合には、ステップＳ２３７の処理に進む。
【００６１】
（ステップＳ２３６）ＣＰＵ１０１は、ＰＩＮ入力に対応するＮｏ．４のタイマを設定し、起動する。その後、ステップＳ２３７の処理に進む。
【００６２】
（ステップＳ２３７）ＣＰＵ１０１は、ＰＩＮの入力が終了したか否かを判定する。入力が終了したとＣＰＵ１０１が判定した場合には、ステップＳ２３８の処理に進む。また、入力が終了していないとＣＰＵ１０１が判定した場合には、ステップＳ２３４の処理に戻る。
【００６３】
（ステップＳ２３８）ＣＰＵ１０１は、通信中に対応するＮｏ．５のタイマを設定し、起動する。その後、ステップＳ２３９の処理に進む。
（ステップＳ２３９）ＣＰＵ１０１は、通信モジュール１１１における通信を開始する。その後、ステップＳ２４０の処理に進む。
【００６４】
（ステップＳ２４０）ＣＰＵ１０１は、タイマの時間が経過したか否かを判定する。経過したとＣＰＵ１０１が判定した場合には、ステップＳ２５１の処理に進む。また、経過していないとＣＰＵ１０１が判定した場合には、ステップＳ２４１の処理に進む。
【００６５】
（ステップＳ２４１）ＣＰＵ１０１は、通信が終了したか否かを判定する。通信が終了したとＣＰＵ１０１が判定した場合には、ステップＳ２４２の処理に進む。また、通信が終了していないとＣＰＵ１０１が判定した場合には、ステップＳ２４０の処理に戻る。
【００６６】
（ステップＳ２４２）ＣＰＵ１０１は、印字中に対応するＮｏ．６のタイマを設定し、起動する。その後、ステップＳ２４３の処理に進む。
（ステップＳ２４３）ＣＰＵ１０１は、プリンタ１０７において印字を開始する。その後、ステップＳ２４４の処理に進む。
【００６７】
（ステップＳ２４４）ＣＰＵ１０１は、タイマの時間が経過したか否かを判定する。経過したとＣＰＵ１０１が判定した場合には、ステップＳ２５１の処理に進む。また、経過していないとＣＰＵ１０１が判定した場合には、ステップＳ２４５の処理に進む。
【００６８】
（ステップＳ２４５）ＣＰＵ１０１は、印字が終了したか否かを判定する。印字が終了したとＣＰＵ１０１が判定した場合には、ステップＳ２０３の処理に戻る。また、通信が終了していないとＣＰＵ１０１が判定した場合には、ステップＳ２４４の処理に戻る。
【００６９】
（ステップＳ２５１）ＣＰＵ１０１は、スリープモードに移行し、液晶ディスプレイ１０８の画面の表示を通常より暗くする。その後、処理を終了して操作待ちの状態になる。なお、ＣＰＵ１０１は、操作待ちの状態時にキー１０９等が入力を受け付け、スリープモードから通常モードに移行して画面の表示を通常の明るさにしたときには、処理を初期状態（業務選択画面）に戻す。
【００７０】
なお、本実施形態では、タイマテーブルの値が予め設定されている場合について説明したが、これに限らず、ユーザがタイマの値やタイマ起動タイミングを設定できるようにしてもよい。
【００７１】
上述したとおり、本実施形態では、第１の実施形態における構成に加えて、決済端末１は、タイマを設定するタイマ起動タイミングと、設定するタイマの値とを対応付けるタイマテーブルを記憶するＲＡＭ１０３を備え、ＣＰＵ１０１は、決済処理の進行状況に応じて、タイマ起動タイミングになると、対応する値のタイマを設定する。
【００７２】
これにより、第１の実施形態における効果に加えて、決済用の入力や印字時など時間がかかる場合は長いタイマを設定し、ＰＩＮ入力等セキュリティ上より短いタイマが要求される場合は短いタイマを設定することなどができ、決済処理の各フェーズにおける目的に合わせて画面が暗くなる（スリープモードに移行する）ことを制御できる。
【００７３】
なお、上述した実施形態における決済端末１が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００７４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００７５】
以上、本発明の実施形態について説明したが、本発明は、上記実施形態に限定されるものではなく、本発明の趣旨を逸脱しない範囲において種々の変更を加えることが可能である。
【００７６】
例えば、上述した実施形態では、決済端末１がピンパッド（カードリーダ及びＰＩＮ入力）の機能を備える場合について説明したが、携帯端末とピンパッドとがそれぞれ別の装置で構成されていてもよい。
【００７７】
また、上述した実施形態では、決済端末１は、スリープモードから通常モードに移行した際に初期状態に戻っているが、これに限らず、スリープモードに移行する直前の処理に戻るようにしてもよい。
【００７８】
また、タイマ時間経過時にスリープモードに移行したときには、液晶ディスプレイ１０８の画面を暗くするだけではなく、ＣＰＵ１０１をスリープモードにし、通信モジュール１１１や、接触ＩＣカードリーダライター１０４や、非接触ＩＣカードリーダライター等の電源を切ったりしても良い。
【００７９】
また、上述した実施形態では、液晶ディスプレイ１０８はタッチパネルを備えているが、これに限らず、タッチパネルを備えていなくてもよい。
【符号の説明】
【００８０】
１・・・決済端末、１０１・・・ＣＰＵ、１０２・・・ＦＲＯＭ、１０３・・ＲＡＭ、１０４・・・接触ＩＣカードリーダライター、１０５・・・非接触ＩＣカードリーダライター、１０６・・・磁気カードリーダ、１０７・・・プリンタ、１０８・・・液晶ディスプレイ、１０９・・・キー、１１０・・・ＬＥＤ、１１１・・・通信モジュール、１１２・・・スピーカ
【図１】
2018146626.tif 000003
【図２】
2018146626.tif 000004
【図３】
2018146626.tif 000005
【図４】
2018146626.tif 000006
【図５】
2018146626.tif 000007
【図６】
2018146626.tif 000008